(57)【特許請求の範囲】
【請求項１】
玄関に置かれて靴や傘等を収納する収納部材である下駄箱において、下駄箱の一方の台輪部分に外気を下駄箱内に吸気する吸気孔を設けると共に下駄箱のもう一方の台輪部分に下駄箱内の空気を排気する排気孔を設け、吸気孔から下駄箱内に外気を吸気することで下駄箱内の汚れた空気を外の清浄な空気と置換しながら排気孔から排気するとき消臭材料を用いて脱臭して排気空気に臭いを残さないようにする脱臭装置は送風ファンと特有に発生する悪臭成分である低級脂肪酸を吸着して消臭する消臭材料を内装して形成すると共にこの脱臭装置を台輪内に配置したことを特徴とする消臭機能付き玄関収納下駄箱。
【発明の詳細な説明】
【０００１】
【発明の属する技術分野】
本発明は、玄関に置く下駄箱で悪臭成分を消臭するようにした消臭機能付き玄関収納下駄箱に関するものである。
【０００２】
【従来の技術及び発明が解決しようとする課題】
一般に玄関収納用下駄箱のような下駄箱では、通常、開き扉または引き戸で下駄箱本体となる箱に蓋をし、出し入れ以外では収納物が見えないように隠蔽する構造である。箱内空気は、箱内で滞留し、靴、傘等の収納物より発生する湿気や臭いで充満することになる。
【０００３】
靴で発生する臭いは、靴や靴下に染み込んだ足が放出する汗や分泌物や、かび、雑菌により分解されてできた低級脂肪酸（主として酪酸・イソ吉草酸）によるものである。これらの低級脂肪酸は極微量でも大変不愉快な臭いで、人間の臭覚を刺激する。
【０００４】
本来、住居の玄関はその家庭の顔にあたる部分であるが、臭いになれると感じなくなるため、本人達は感じていなくても、来客者が強く感じることがあったりして家族間で不快を訴えたりすることがある。特に、子供の靴は汚れ易い上、使い捨てで洗われることも少なく玄関土間（たたき）に放置されることが多いので子供の靴の臭気が玄関空間に充満してことが多い等の問題がある。
【０００５】
また上記下駄箱の場合、使用直後で湿った靴や、雨に濡れた靴を入れると箱内に湿気が持ち込まれて箱内の湿度が上がる。このため使用直後の靴を直ぐに収納することができず、玄関土間に放置して自然乾燥されるのを待って（通常約６時間以上）しか収納できなかったり、またそのため、玄関土間に使用直後の靴が散乱して片付かない場合が多い。
【０００６】
また箱内を密封するために湿度が外部より高くなり、空気が滞留してよどみが生じる。そのため、頻繁に使用しない靴では、かびが発生したり、雑菌が繁殖したりして収納物を傷めたり、異臭を発生させたりすることになる。
【０００７】
また下駄箱に雨で濡れた靴を入れられるようにするために、温風を発生させて強制的に乾燥させることを目的とした乾燥室を設けたものも提供されているが、この場合、コスト的に高くつき、また個々のものに合った乾燥が選べず、また熱風で強制的に乾燥することにより却って靴を傷めたり、加熱の際に臭いを発生させたりしていた。また下駄箱内に加熱空気を循環させるものもあるが、上記と同様の問題がある。
【０００８】
また悪臭を消臭する消臭材料として活性炭やＺｎＯ等のものが一般的に使用されているが、靴等から出る低級脂肪酸の消臭にはさほど効果のあるものでなかった。
【０００９】
本発明は叙述の点に鑑みてなされたものであって、悪臭成分である低級脂肪酸を吸着して消臭できて快適に使用できる消臭機能付き玄関収納下駄箱を提供することを課題とする。
【００１０】
【課題を解決するための手段】
上記課題を解決するため本発明の請求項１の消臭機能付き玄関収納下駄箱は、玄関に置かれて靴や傘等を収納する収納部材である下駄箱において、下駄箱の一方の台輪部分に外気を下駄箱内に吸気する吸気孔を設けると共に下駄箱のもう一方の台輪部分に下駄箱内の空気を排気する排気孔を設け、吸気孔から下駄箱内に外気を吸気することで下駄箱内の汚れた空気を外の清浄な空気と置換しながら排気孔から排気するとき消臭材料を用いて脱臭して排気空気に臭いを残さないようにする脱臭装置は送風ファンと特有に発生する悪臭成分である低級脂肪酸を吸着して消臭する消臭材料を内装して形成すると共にこの脱臭装置を台輪内に配置したことを特徴とする。下駄箱内の悪臭成分である低級脂肪酸を効果的に吸着して消臭でき、玄関に設置するものでも快適に使用することができる。また脱臭装置を作動させると、吸気孔から下駄箱内に外気が吸気され、下駄箱内の汚れた空気を外の清浄な空気と置換しながら排気孔から排気されると共に排気孔から排気するとき脱臭装置の消臭材料にて低級脂肪酸を効果的に吸着して消臭して排気空気に臭いを残さないようにされる。このようにすることにより、下駄箱内に風が起こることにより靴の乾燥が促進され、また下駄箱内の相対湿度が下がり、発生する臭いも消臭材料に持ち去られる。また下駄箱内は低湿度であること、空気の滞留がなくなることにより、かび、雑菌の繁殖が抑えられる。
【００１４】
【発明の実施の形態】
下駄箱１は図１、図２に示すように玄関２の上がり框３と玄関土間４とに亙るように設置してあり、玄関土間４の部分では支持脚５にて下駄箱１を支持してある。下駄箱１内は中仕切り１５にて複数の収納空間６に区画してあり、各収納空間６内には棚７等を設けてある。この下駄箱１の前面開口には扉８を開閉自在に設けてあるが、扉８を閉じたとき気密を保つために下駄箱１の前面開口にパッキン９を装着してある。この下駄箱１の一方に外気を吸気する吸気孔１０を設けてあり、下駄箱１の他方には下駄箱１内の空気を排気する排気孔１１を設けてある。本発明の場合、下駄箱１に下の台輪１２部分に吸気孔１０と排気孔１１とを設けてある。また下駄箱１内の中仕切り１５には隣り合う収納空間６を連通させるための通気孔１６を穿孔してある。
【００１５】
上記吸気孔１０には下駄箱１内に吸気する空気を除湿するための吸湿層フィルター１３を装着してある。排気孔１１の下には排気孔１１と連通するように脱臭装置１４を装着してある。この脱臭装置１４には排気のために送風する送風ファンを内装してあると共に低級脂肪酸（酪酸、イソ吉草酸等）を吸着する消臭材料を収納してある。
【００１６】
しかして脱臭装置１４を作動させると、吸気孔１０から下駄箱１内に外気が吸気され、図１や図２の矢印のように下駄箱１内に空気が流れることにより下駄箱１内の汚れた空気を外の清浄な空気と置換しながら排気孔１１から排気されると共に排気孔１１から排気するとき脱臭装置１４の消臭材料にて低級脂肪酸を効果的に吸着して消臭して排気空気に臭いを残さないようにされる。このようにすることにより、下駄箱１内に風が起こることにより靴の乾燥が促進され、また下駄箱１内の相対湿度が下がり、発生する臭いも消臭材料に持ち去られる。また下駄箱１内は低湿度であること、空気の滞留がなくなることにより、かび、雑菌の繁殖が抑えられる。さらにいうと、通風により下駄箱１の箱内温度が７０％以下となり（外気の湿度が低いとさらに低くなる）、かび・雑菌・バクテリア等の繁殖しない湿度（４０％〜７０％）が維持され、長時間保存した皮靴でもかびがはえず、異臭もしなくなる。また通風することにより、履いた直後の湿ったものを入れても、玄関土間４に放置したりするのと同じかそれ以上に乾燥でき、約６時間経ったら（夜収納したら、翌朝）さらさら乾いた状態となり、気持ちよく履ける状態にすることができる。また自然な無理のない乾燥なので靴の傷みはなくなる。また低級脂肪酸を吸着する消臭材料で消臭するために下駄箱１内の臭いがしにくく例えば下記のようになった。
【００１７】
臭い強度２．５（何の臭いか判る程度）→臭い強度１以下（やっと臭いを感知できる程度）
上記のように脱臭装置１４は気体中に存在する低級脂肪酸を吸着するために玄関収納下駄箱用消臭材料が内装されるが、この消臭材料としては水酸化マグネシウム・水酸化カルシウム・水酸化ジルコニウムなどの水酸化物の少なくとも１種以上から選定した物質が用いられる。このような物質の消臭材料を用いることにより従来の消臭材料では消臭できなかった低級脂肪酸の悪臭を高効率で消臭することができる。
【００１８】
このとき消臭材料の物質にペレット状・ハニカム状等の形状を付与することが望ましく、このようにすることで悪臭成分の吸着容量を大きくできて長時間消臭機能を維持できる。
【００１９】
【実施例】
以下、上記消臭材料を実施例によりさらに詳細に説明する。
（実施例１）
消臭薬剤として金属塩化物、金属酸化物（ＺｎＯを含む）及び前記水酸化物のパウダーを用意し、１リットルの三角フラスコに各０．２ｇずつ入れてフラスコ底面に均一に散布する。さらに小瓶にろ紙を差したものを用意し、夫々のフラスコに挿入する。酪酸１０ｗｔ％水溶液を５０μリットルずつマイクロシリンジでフラスコ内のろ紙に付着させた後、フラスコを密閉する。併せて、比較対象として消臭薬剤入れないフラスコに同様に酪酸を付着させたサンプルを作成し、これをブランクとする。そして一定時間（ここでは３０分）後、ガス検知管を用いて残存がガス濃度を測定して除去率を次式で求めた。
【００２０】
除去率（％）＝（１−３０分後のガス濃度）／（ブランクの３０分後のガス濃度）×１００
（実施例２）
酪酸と同様に、同じ低級脂肪酸であるイソ吉草酸においても実施例１と同様の手順にて除去率を求めた。
【００２１】
上記、実施例１及び実施例２の低級脂肪酸除去評価の一覧を表１に示す。
【００２２】
【表１】
0003541804.tif 000002
【００２３】
表１の結果から判るように、本発明に挙げている水酸化物（←印）は酸化亜鉛（◎印）より低級脂肪酸に対して吸着効果が高いといえる。
（実施例３）
水酸化ジルコニウムを下記の表２の配合で混合後、加水しながら、混錬して粘土状にした。次にこの粘土状のものをハニカム状に押し出し加圧成形し、加熱より乾燥させ、ジリコニウムハニカムを作成した。同様して活性炭ハニカムも作成した。
【００２４】
【表２】
0003541804.tif 000003
【００２５】
上記ジリコニウムハニカムや活性炭ハニカムを用いて図３の示すような実験装置で酪酸吸着性能を測定した。図３でＡは酪酸ガスを一定の濃度で発生させる酪酸ガス発生装置、Ｂはガスの流れ方向、ＣはＩＮ側のガス濃度を測定するＩＮ側濃度測定部、ＤはＯＵＴ側のガス濃度を測定するＯＵＴ側濃度測定部、Ｅはジリコニウムハニカムや活性炭ハニカムをセットする資料ハニカムセット部である。この実験装置を用い、酪酸ガス発生装置Ａにて連続的に酪酸を発生させ、各ハニカムの所定面積に酪酸ガスを通し、ハニカムを通る前のガス濃度及びハニカムを通過した後の酪酸ガス濃度をＩＮ側濃度測定部Ｃ及びＯＵＴ側濃度測定部Ｄにてガス検知管を用いて測定した。その測定結果を表３（各ハニカムの酪酸１パスの測定結果）に示す。
【００２６】
【表３】
0003541804.tif 000004
【００２７】
以上の結果より、水酸化ジリコニウムを用いたハニカムは、活性炭を用いたハニカムより長時間除去性能を示し、吸着容量も大きいことがわかる。
【００２８】
【発明の効果】
本発明の請求項１の発明は、玄関に置かれて靴や傘等を収納する収納部材である下駄箱において、特有に発生する悪臭成分である低級脂肪酸を吸着して消臭する機能を設けたので、下駄箱内の悪臭成分である低級脂肪酸を効果的に吸着して消臭でき、玄関に設置するものでも快適に使用することができるものである。また下駄箱の一方の台輪部分に外気を下駄箱内に吸気する吸気孔を設けると共に下駄箱のもう一方の台輪部分に下駄箱内の空気を排気する排気孔を設け、吸気孔から下駄箱内に外気を吸気することで下駄箱内の汚れた空気を外の清浄な空気と置換しながら排気孔から排気するとき消臭材料を用いて脱臭して排気空気に臭いを残さないようにする脱臭装置は送風ファンと特有に発生する悪臭成分である低級脂肪酸を吸着して消臭する消臭材料を内装して形成すると共にこの脱臭装置を台輪内に配置したので、脱臭装置を作動させると、吸気孔から下駄箱内に外気が吸気され、下駄箱内の汚れた空気を外の清浄な空気と置換しながら排気孔から排気されると共に排気孔から排気するとき脱臭装置の消臭材料にて低級脂肪酸を効果的に吸着して消臭して排気空気に臭いを残さないようにされるものであって、下駄箱内に風が起こることにより靴の乾燥が促進され、また下駄箱内の相対湿度が下がり、発生する臭いも消臭材料に持ち去られるものであり、また下駄箱内は低湿度であることで、空気の滞留がなくなることにより、かび、雑菌の繁殖が抑えられるものである。
【図面の簡単な説明】
【図１】本発明の消臭機能付き玄関収納下駄箱の実施の形態の一例を示す正面から見た断面図である。
【図２】同上の側面から見た断面図である。
【図３】同上の実施例３の実験装置を示す説明図である。
【符号の説明】
１  下駄箱
２  玄関
３  上がり框
４  玄関土間
１０  吸気孔
１１  排気孔
１４  脱臭装置
【図１】
0003541804.tif 000005
【図２】
0003541804.tif 000006
【図３】
0003541804.tif 000007